Podtech/llm-jp-corpus-v4-ja_patent huggingface dataset:
【手続補正書】
【提出日】令和3年11月15日(2021.11.15)
【手続補正１】
【補正対象書類名】特許請求の範囲
【補正対象項目名】全文
【補正方法】変更
【補正の内容】
【特許請求の範囲】
【請求項１】
遊技者による操作対象とされる複数の操作部と、
判定を行う判定手段と、
前記判定手段による判定にて所定の結果が得られたことに基づいて遊技者に特典を付与しうる特典付与手段と、
操作受付が許容されうる操作対象を摸した表示を行う摸画像表示手段と、
前記摸画像表示手段による表示の対象にされ且つ操作受付が許容可能とされる操作部がある操作摸画像表示状態を発生可能であり、該操作摸画像表示状態で前記操作部に対する操作受付がなされるとこれを契機として受付後変化を実行可能な操作許容状態実行手段と、
前記操作摸画像表示状態で前記操作部に対する操作が行われなかったとしても該操作が行われたときと同じ受付後変化を生じさせる処理を実行可能な自動受付実行手段と
を備え、
前記操作摸画像表示状態の種別として、特定操作許容状態及び特別操作許容状態が少なくとも用意されており、
前記特定操作許容状態では、前記摸画像表示手段による表示の対象にされ且つ操作受付が許容可能とされる操作部として、前記自動受付実行手段による処理の対象であり且つ操作受付が複数回にわたって許容されうる操作部があり、該操作部に対する操作受付がなされた場合、前記受付後変化の１つである操作後出力音が特定音として出力され、
前記特別操作許容状態では、前記摸画像表示手段による表示の対象にされ且つ操作受付が許容可能とされる操作部として、前記自動受付実行手段による処理の対象ではなく且つ操作受付が複数回にわたって許容されうる操作部があり、該操作部に対する操作受付がなされた場合、前記受付後変化の１つである操作後出力音が前記特定音とは異なる特別音として出力される場合と、該操作後出力音が出力されない場合との両方があるようになっており、
さらに、
前記特別操作許容状態は、特定種別ＢＧＭが可聴出力されているなかで発生する場合と、該特定種別ＢＧＭが非可聴の状態にされているなかで発生する場合との両方があるものとなっており、
前記特定種別ＢＧＭが可聴出力されているなかで前記特別操作許容状態が発生して該特別操作許容状態において前記摸画像表示手段による表示の対象にされる操作部に対して操作受付がなされた場合と、前記特定種別ＢＧＭが非可聴の状態にされているなかで前記特別操作許容状態が発生して該特別操作許容状態において前記摸画像表示手段による表示の対象にされる操作部に対して操作受付がなされた場合とで同じ受付後変化が生じうる
ことを特徴とする遊技機。
【手続補正２】
【補正対象書類名】明細書
【補正対象項目名】０００５
【補正方法】変更
【補正の内容】
【０００５】
このような従来の遊技機では、遊技興趣の低下を抑制することが求められる。
【手続補正３】
【補正対象書類名】明細書
【補正対象項目名】０００７
【補正方法】変更
【補正の内容】
【０００７】
手段１：遊技者による操作対象とされる複数の操作部と、
判定を行う判定手段と、
前記判定手段による判定にて所定の結果が得られたことに基づいて遊技者に特典を付与しうる特典付与手段と、
操作受付が許容されうる操作対象を摸した表示を行う摸画像表示手段と、
前記摸画像表示手段による表示の対象にされ且つ操作受付が許容可能とされる操作部がある操作摸画像表示状態を発生可能であり、該操作摸画像表示状態で前記操作部に対する操作受付がなされるとこれを契機として受付後変化を実行可能な操作許容状態実行手段と、
前記操作摸画像表示状態で前記操作部に対する操作が行われなかったとしても該操作が行われたときと同じ受付後変化を生じさせる処理を実行可能な自動受付実行手段と
を備え、
前記操作摸画像表示状態の種別として、特定操作許容状態及び特別操作許容状態が少なくとも用意されており、
前記特定操作許容状態では、前記摸画像表示手段による表示の対象にされ且つ操作受付が許容可能とされる操作部として、前記自動受付実行手段による処理の対象であり且つ操作受付が複数回にわたって許容されうる操作部があり、該操作部に対する操作受付がなされた場合、前記受付後変化の１つである操作後出力音が特定音として出力され、
前記特別操作許容状態では、前記摸画像表示手段による表示の対象にされ且つ操作受付が許容可能とされる操作部として、前記自動受付実行手段による処理の対象ではなく且つ操作受付が複数回にわたって許容されうる操作部があり、該操作部に対する操作受付がなされた場合、前記受付後変化の１つである操作後出力音が前記特定音とは異なる特別音として出力される場合と、該操作後出力音が出力されない場合との両方があるようになっており、
さらに、
前記特別操作許容状態は、特定種別ＢＧＭが可聴出力されているなかで発生する場合と、該特定種別ＢＧＭが非可聴の状態にされているなかで発生する場合との両方があるものとなっており、
前記特定種別ＢＧＭが可聴出力されているなかで前記特別操作許容状態が発生して該特別操作許容状態において前記摸画像表示手段による表示の対象にされる操作部に対して操作受付がなされた場合と、前記特定種別ＢＧＭが非可聴の状態にされているなかで前記特別操作許容状態が発生して該特別操作許容状態において前記摸画像表示手段による表示の対象にされる操作部に対して操作受付がなされた場合とで同じ受付後変化が生じうる
ことを特徴とする遊技機。
【手続補正４】
【補正対象書類名】明細書
【補正対象項目名】０００８
【補正方法】削除
【補正の内容】
【手続補正書】
【提出日】令和3年3月31日(2021.3.31)
【手続補正１】
【補正対象書類名】特許請求の範囲
【補正対象項目名】全文
【補正方法】変更
【補正の内容】
【特許請求の範囲】
【請求項１】
前面に遊技領域を有する遊技パネルと、
前記遊技領域の上方にあって該遊技領域内に打ち込まれた遊技球が通りうる第１球通路部と、
該第１球通路部の終端部に設けられていて該第１球通路部を通った遊技球が衝突しうる球当て部と、
前記第１球通路部から落下する遊技球を受けて下方に案内する第２球通路部と、
前記遊技パネルに形成された開口部の周縁に取り付けられるセンターフレームと、
を有する遊技機において、
前記センターフレームは、
分離可能な複数個のフレームパーツで形成され、
前記複数個のフレームパーツの夫々には、前記遊技パネルの前面側にネジで取り付けるための取付孔を有する取付部が形成されており、該複数個のフレームパーツが前記遊技パネルの前面側に取り付けられることで前記開口部の内側に遊技球が侵入することを抑止可能であり、
前記複数個のフレームパーツのうちの特定のフレームパーツには、前記球当て部に当たって跳ね返る遊技球を受けて該遊技球を前記第２球通路部側に落下させうる跳ね球受部が設けられており、
さらに、前記複数個のフレームパーツは、電気的な部品を有しない無配線構造のフレームパーツと、電気的な部品を有する有配線構造のフレームパーツとに分類され、
前記特定のフレームパーツは、前記有配線構造のフレームパーツが前記遊技パネルに取り付けられた状態で前記遊技パネルの前面側から着脱可能に前記遊技パネルに配置されるようにし、
前記特定のフレームパーツは、透明な合成樹脂で形成されており、前記遊技パネル側に別途設けられた発光演出手段の光で後方から照らされるようにした
ことを特徴とする遊技機。
【手続補正２】
【補正対象書類名】明細書
【補正対象項目名】０００６
【補正方法】変更
【補正の内容】
【０００６】
上記の目的を達成するため本発明は、
前面に遊技領域を有する遊技パネルと、
前記遊技領域の上方にあって該遊技領域内に打ち込まれた遊技球が通りうる第１球通路部と、
該第１球通路部の終端部に設けられていて該第１球通路部を通った遊技球が衝突しうる球当て部と、
前記第１球通路部から落下する遊技球を受けて下方に案内する第２球通路部と、
前記遊技パネルに形成された開口部の周縁に取り付けられるセンターフレームと、
を有する遊技機において、
前記センターフレームは、
分離可能な複数個のフレームパーツで形成され、
前記複数個のフレームパーツの夫々には、前記遊技パネルの前面側にネジで取り付けるための取付孔を有する取付部が形成されており、該複数個のフレームパーツが前記遊技パネルの前面側に取り付けられることで前記開口部の内側に遊技球が侵入することを抑止可能であり、
前記複数個のフレームパーツのうちの特定のフレームパーツには、前記球当て部に当たって跳ね返る遊技球を受けて該遊技球を前記第２球通路部側に落下させうる跳ね球受部が設けられており、
さらに、前記複数個のフレームパーツは、電気的な部品を有しない無配線構造のフレームパーツと、電気的な部品を有する有配線構造のフレームパーツとに分類され、
前記特定のフレームパーツは、前記有配線構造のフレームパーツが前記遊技パネルに取り付けられた状態で前記遊技パネルの前面側から着脱可能に前記遊技パネルに配置されるようにし、
前記特定のフレームパーツは、透明な合成樹脂で形成されており、前記遊技パネル側に別途設けられた発光演出手段の光で後方から照らされるようにした
ことを特徴とする。
【手続補正書】
【提出日】令和3年3月23日(2021.3.23)
【手続補正１】
【補正対象書類名】特許請求の範囲
【補正対象項目名】全文
【補正方法】変更
【補正の内容】
【特許請求の範囲】
【請求項１】
ポリヌクレオチドを抗生物質耐性微生物に導入するための送達ビヒクルであって、
ここで、前記送達ビヒクルは、微生物に抗生物質耐性を付与する酵素をコードする少なくとも１つの抗生物質耐性遺伝子を有するＤＮＡの不活性化のための組換えポリヌクレオチドを含み、そしてここで前記組換えポリヌクレオチドは、複数のＲＮＡガイド分子を有するか又は転写する、クラスター化して規則的な配置の短い回文配列リピート（ＣＲＩＳＰＲ）アレイ核酸配列を含み、ここで各ＲＮＡガイド分子は、ＣＲＩＳＰＲ関連（Ｃａｓ）ＤＮＡ結合ポリペプチド又はその機能性同等物又はその修飾物の存在下で前記少なくとも１つの抗生物質耐性遺伝子を標的化かつ不活性化し、それにより前記微生物を抗生物質に対して敏感化するために、前記少なくとも１つの抗生物質耐性遺伝子の標的ＤＮＡ配列と充分に相補的なスペーサー配列を有し、ここで各ＲＮＡガイド分子は、前記ＣａｓＤＮＡ結合ポリペプチド又はその機能性同等物又はその修飾物の前記少なくとも１つの抗生物質耐性遺伝子への結合を媒介し、そしてここで前記送達ビヒクルは、プラスミド（例えば接合プラスミド又は他のプラスミドレプリコン）、ヌクレオチドベクター、直鎖状２本鎖ＤＮＡ、非毒性バクテリオファージ及び溶原性バクテリオファージから選択される、
前記送達ビヒクル。
【請求項２】
前記ＣａｓＤＮＡ結合ポリペプチド又はその機能性同等物又はその修飾物をコードする核酸配列を更に含む、請求項１に記載の送達ビヒクル。
【請求項３】
前記ＣａｓＤＮＡ結合ポリペプチドがＣａｓ９又はその機能性同等物若しくは修飾物である、請求項１または２に記載の送達ビヒクル。
【請求項４】
病原性に関与する遺伝子、又は微生物代謝の他の側面に関与する遺伝子、例えばバイオフィルム産生のための細菌の代謝に関与する遺伝子、を標的とするＲＮＡガイド分子を更に含む、請求項１〜３のいずれか１項に記載の送達ビヒクル。
【請求項５】
前記ＣＲＩＳＰＲアレイ核酸配列が追加のＲＮＡガイド分子を有するか又は転写し、ここで各ＲＮＡガイド分子は、少なくとも１つの抗生物質耐性遺伝子又は１又は複数の追加の抗生物質耐性遺伝子の標的配列と充分に相補的なスペーサー配列を含む、請求項１〜４のいずれか１項に記載の送達ビヒクル。
【請求項６】
前記ＣＲＩＳＰＲアレイ核酸配列が１又は複数のＲＮＡガイド分子を有するか又は転写し、ここで各ＲＮＡガイド分子は、１又は複数のベータラクタマーゼ遺伝子の標的配列と充分に相補的なスペーサー配列を含む、請求項１〜５のいずれか１項に記載の送達ビヒクル。
【請求項７】
前記１又は複数のＲＮＡガイド分子が、ＮＤＭ、ＶＩＭ、ＩＭＰ、ＫＰＣ、ＯＸＡ、ＴＥＭ、ＳＨＶ、ＣＴＸ、ＯＫＰ、ＬＥＮ、ＧＥＳ、ＭＩＲ、ＡＣＴ、ＡＣＣ、ＣＭＹ、ＬＡＴ、及びＦＯＸからなる群から選択される遺伝子の１又は複数、又は全てを標的とする、請求項６に記載の送達ビヒクル。
【請求項８】
前記又は各ＲＮＡガイド分子が自身のプロモーター配列から転写される、請求項１〜７のいずれか１項に記載の送達ビヒクル。
【請求項９】
前記少なくとも１つの抗生物質耐性遺伝子が、染色体上、又は、プラスミド若しくはバクテリオファージを含む染色体外複製性ＤＮＡ分子（レプリコン）上に位置する、請求項１〜８のいずれか１項に記載の送達ビヒクル。
【請求項１０】
前記微生物に選択的利点を付与する遺伝子をコードするヌクレオチド配列を更に含む、請求項１〜９のいずれか１項に記載の送達ビヒクル。
【請求項１１】
請求項１〜１０のいずれか１項に記載の送達ビヒクルを含む組成物。
【請求項１２】
前記組成物が、医薬組成物；非病原性微生物、例えば共生細菌、例えばプロバイオティクス製剤中の共生細菌；又は栄養補助食品である、請求項１１に記載の組成物。
【請求項１３】
局所、経腸、又は非経口投与のために製剤化される、請求項１１又は１２に記載の組成物。
【請求項１４】
医薬として使用される、請求項１１〜１３のいずれか１項に記載の組成物。
【請求項１５】
前記組換えポリヌクレオチドのＲＮＡガイド分子により標的とされる抗生物質耐性遺伝子を含む抗生物質耐性微生物により引き起こされる感染症の治療又は予防における使用のための、請求項１１〜１３のいずれか１項に記載の組成物。
【請求項１６】
請求項１〜１０のいずれか１項に記載の送達ビヒクルを微生物に導入することを含む、抗生物質耐性微生物中の抗生物質耐性を不活性化する方法。
【請求項１７】
請求項１〜１０のいずれか１項で定義される組換えポリヌクレオチドを含む宿主細胞。
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
遠心分離管内に受容されるように構成され、ルーメンと、第１および第２の端部とを備え、各端部は開口を備える、管状本体と、
前記ルーメン内に配置および固定される第１のフィルタであって、３０μｍから５０μｍの細孔サイズを有するフィルタと；
前記ルーメン内に前記第１のフィルタに隣接して配置および固定され、５μｍから２０μｍの細孔サイズを有する第２のフィルタと
を備える、生存し呼吸可能なミトコンドリアを単離するための濾過装置。
【請求項２】
前記第１のフィルタは、ナイロン、マイラー、ステンレス鋼、ワイヤメッシュ、アルミニウム、合成メッシュ、スペクトラ、ケブラー、プラスチック、または紙を含む、請求項１に記載の装置。
【請求項３】
前記第１のフィルタは、約４０μｍの細孔サイズを有する、請求項１又は２に記載の装置。
【請求項４】
前記第２のフィルタは、ナイロン、マイラー、ステンレス鋼、ワイヤメッシュ、アルミニウム、合成メッシュ、スペクトラ、ケブラー、プラスチック、または紙を含む、請求項１〜３のいずれか一項に記載の装置。
【請求項５】
前記第２のフィルタは、約１０μｍの細孔サイズを有する、請求項１〜４のいずれか一項に記載の装置。
【請求項６】
前記ルーメン内に前記第１のフィルタおよび前記第２のフィルタの間に配置および固定され、１５μｍから約５０μｍの細孔サイズを有する第３のフィルタを備える、請求項１〜５のいずれか一項に記載の装置。
【請求項７】
前記第３のフィルタは、約４０μｍの細孔サイズを有する、請求項６に記載の装置。
【請求項８】
前記第３のフィルタは、約２０μｍの細孔サイズを有する、請求項６に記載の装置。
【請求項９】
前記第３のフィルタは、ナイロン、マイラー、ステンレス鋼、ワイヤメッシュ、アルミニウム、合成メッシュ、スペクトラ、ケブラー、プラスチック、または紙を含む、請求項６〜８のいずれか一項に記載の装置。
【請求項１０】
第４のフィルタを備える、請求項６〜９のいずれか一項に記載の装置。
【請求項１１】
前記第４のフィルタは、ナイロン、マイラー、ステンレス鋼、ワイヤメッシュ、アルミニウム、合成メッシュ、スペクトラ、ケブラー、プラスチック、または紙を含む、請求項１０に記載の装置。
【請求項１２】
装置が無菌である、請求項１〜１１のいずれか一項に記載の装置。
【請求項１３】
生存ミトコンドリアを含む細胞ホモジネートを提供することと；
請求項１〜１２のいずれかに記載の濾過装置を提供することと；
細胞ホモジネートを前記装置を通過させることと；
濾液を収集し、それにより生存ミトコンドリアを単離することと
を含む、生存し呼吸可能なミトコンドリアを単離する方法。
【請求項１４】
ミトコンドリア単離に要する時間は３０分未満である、請求項１３に記載の方法。
【請求項１５】
生存ミトコンドリアを含む細胞ホモジネートを提供することと；
前記細胞ホモジネートを、３０μｍから５０μｍの細孔サイズを有する第１のフィルタを通過させ；次に
５μｍから２０μｍの細孔サイズを有する第２のフィルタを通過させ、それにより濾液を形成させることと；
生存し呼吸可能なミトコンドリアを含む濾液を回収することと
を含む、生存し呼吸可能なミトコンドリアを単離するための方法。
【請求項１６】
前記第１のフィルタの細孔サイズは４０μｍであり、及び前記第２のフィルタの細孔サイズは１０μｍである、請求項１５に記載の方法。
【請求項１７】
前記細胞ホモジネートを、遠心分離を行うことなく前記第１のフィルタ及び前記第２のフィルタに通過させる、請求項１５又は１６に記載の方法。
【請求項１８】
さらに、前記細胞ホモジネートを前記第２のフィルタを通過させる前に、１５μｍから５０μｍの細孔サイズを有する第３のフィルタに前記細胞ホモジネートを通過させることを含む、請求項１５〜１７のいずれか一項に記載の方法。
【請求項１９】
前記第３のフィルタの細孔サイズが４０μｍである、請求項１８に記載の方法。
【請求項２０】
前記細胞ホモジネートを、遠心分離を行うことなく前記第１のフィルタ、前記第２のフィルタ及び前記第３のフィルタに通過させる、請求項１８又は１９に記載の方法。
【請求項２１】
さらに、細胞ホモジネートを第４のフィルタに通過させることを含む、請求項１８〜２０に記載の方法。
【請求項２２】
前記細胞ホモジネートを、遠心分離を行うことなく前記第１のフィルタ、前記第２のフィルタ、前記第３のフィルタ及び前記第４のフィルタに通過させる、請求項２１に記載の方法。
【請求項２３】
濾液を遠心分離することを含む、請求項１〜２２のいずれか一項に記載の方法。
【請求項２４】
前記濾液は、９０００×ｇで遠心分離される、請求項２３に記載の方法。
【請求項２５】
前記濾液は、４℃で遠心分離される、請求項２３又は請求項２４に記載の方法。
【請求項２６】
３００ｍＭのスクロース；１０ｍＭのＫ＋ＨＥＰＥＳ；および１ｍＭのＫ＋ＥＧＴＡを含む溶液中で組織を均質化し、それにより前記細胞ホモジネートを提供することを含む、請求項１〜２５のいずれか一項に記載の方法。
【請求項２７】
前記細胞ホモジネートが４℃で提供される、請求項２６に記載の方法。
【請求項２８】
前記濾液を収集する前に、前記第１のフィルタ及び前記第２のフィルタを装置に配置し、前記装置を１×ｇで遠心分離する、請求項１〜２７のいずれか一項に記載の方法。
【請求項２９】
ミトコンドリア単離に要する時間は３０分未満である、請求項１〜２８のいずれか一項に記載の方法。
【手続補正書】
【提出日】令和3年3月1日(2021.3.1)
【手続補正１】
【補正対象書類名】特許請求の範囲
【補正対象項目名】全文
【補正方法】変更
【補正の内容】
【特許請求の範囲】
【請求項１】
ざ瘡の治療のための製剤の製造におけるＰｒｏｐｉｏｎｉｂａｃｔｅｒｉｕｍ  ａｃｎｅｓのリボタイプ６菌株の使用。
【請求項２】
前記Ｐｒｏｐｉｏｎｉｂａｃｔｅｒｉｕｍ  ａｃｎｅｓのリボタイプ６菌株が、配列番号６と少なくとも９９％の相同性を有する、請求項１に記載の使用。
【請求項３】
前記Ｐｒｏｐｉｏｎｉｂａｃｔｅｒｉｕｍ  ａｃｎｅｓのリボタイプ６菌株が、配列番号６と１００％の相同性を有する、請求項２に記載の使用。
【請求項４】
前記Ｐｒｏｐｉｏｎｉｂａｃｔｅｒｉｕｍ  ａｃｎｅｓのリボタイプ６菌株が、配列番号５１、配列番号５２、配列番号５３、または配列番号５４と少なくとも９５％の相同性を有する、請求項１に記載の使用。
【請求項５】
前記Ｐｒｏｐｉｏｎｉｂａｃｔｅｒｉｕｍ  ａｃｎｅｓのリボタイプ６菌株が、配列番号５１、配列番号５２、配列番号５３、または配列番号５４と少なくとも９９％の相同性を有する、請求項４に記載の使用。
【請求項６】
前記Ｐｒｏｐｉｏｎｉｂａｃｔｅｒｉｕｍ  ａｃｎｅｓのリボタイプ６菌株が、配列番号５１、配列番号５２、配列番号５３、または配列番号５４と１００％の相同性を有する、請求項５に記載の使用。
【請求項７】
前記製剤が、局所適用のために製剤化されている、請求項１に記載の使用。
【請求項８】
前記製剤が、クリームとして製剤化されている、請求項７に記載の使用。
【請求項９】
Ｐｒｏｐｉｏｎｉｂａｃｔｅｒｉｕｍ  ａｃｎｅｓのリボタイプ６菌株を含む、ざ瘡の治療における使用のための組成物。
【請求項１０】
前記Ｐｒｏｐｉｏｎｉｂａｃｔｅｒｉｕｍ  ａｃｎｅｓのリボタイプ６菌株が、配列番号６と少なくとも９９％の相同性を有する、請求項９に記載の組成物。
【請求項１１】
前記Ｐｒｏｐｉｏｎｉｂａｃｔｅｒｉｕｍ  ａｃｎｅｓのリボタイプ６菌株が、配列番号６と１００％の相同性を有する、請求項１０に記載の組成物。
【請求項１２】
前記Ｐｒｏｐｉｏｎｉｂａｃｔｅｒｉｕｍ  ａｃｎｅｓのリボタイプ６菌株が、配列番号５１、配列番号５２、配列番号５３、または配列番号５４と少なくとも９５％の相同性を有する、請求項９に記載の組成物。
【請求項１３】
前記Ｐｒｏｐｉｏｎｉｂａｃｔｅｒｉｕｍ  ａｃｎｅｓのリボタイプ６菌株が、配列番号５１、配列番号５２、配列番号５３、または配列番号５４と少なくとも９９％の相同性を有する、請求項１２に記載の組成物。
【請求項１４】
前記Ｐｒｏｐｉｏｎｉｂａｃｔｅｒｉｕｍ  ａｃｎｅｓのリボタイプ６菌株が、配列番号５１、配列番号５２、配列番号５３、または配列番号５４と１００％の相同性を有する、請求項９に記載の組成物。
【請求項１５】
前記組成物が、局所適用のために製剤化されている、請求項９に記載の組成物。
【請求項１６】
前記組成物が、クリームとして製剤化されている、請求項１５に記載の組成物。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
玩具本体に接続可能な腕構造であって、
ハンド部の全長より長い装備品を持つように装着可能な前記ハンド部と、
前記ハンド部を支持する支持部と前記支持部を揺動可能に支持する枢支部とを有する前腕部と、を備え、
前記支持部は、前記支持部の中心軸より前記玩具本体に近い位置で揺動可能に前記枢支部に支持されており、
前記支持部を、第１位置と、前記装備品を前記ハンド部に装着した場合に、前記第１位置に比べて前記装備品と前記前腕部との干渉を低減することができる第２位置とに変更可能である玩具の腕構造。
【請求項２】
前記枢支部に突設された揺動軸と、前記支持部の一端側に設けられた軸孔と、を備え、
前記揺動軸が前記軸孔に嵌合することにより、前記枢支部は前記支持部を揺動可能に支持する
請求項１に記載の玩具の腕構造。
【請求項３】
前記前腕部は、前記前腕部の長さを変更可能なスライダ部を有する、
請求項１または２に記載の玩具の腕構造。
【請求項４】
前記前腕部は、前記スライダ部のスライド位置をロックするロック部を有する、
請求項３に記載の玩具の腕構造。
【請求項５】
前記ロック部は、前記前腕部の外装部に設けられている、
請求項４に記載の玩具の腕構造。
【請求項６】
前記第２位置は、前記スライダ部をスライドさせることで前記第１位置に比べて前記前腕部の長さを長くした位置である
請求項３〜５のいずれか一項に記載の玩具の腕構造。
【請求項７】
前記前腕部は、前記支持部の支持角度を変更することで直線状形態と屈曲状形態とに変更可能に有しており、
前記第１位置は、前記直線状形態とした位置であり、
前記第２位置は、前記屈曲状形態とした位置である、
請求項１〜６の何れか一項に記載の玩具の腕構造。
【請求項８】
一端側が前記ハンド部と接続するジョイント構造を有し、他端側が前記支持部と接続するジョイント構造を有することで、前記支持部に対して前記ハンド部の角度及び姿勢を変更可能に接続するリンク部、
を更に備えた請求項１〜７の何れか一項に記載の玩具の腕構造。
【請求項９】
前記装備品は、銃床を有する銃器を模した部品である、
請求項１〜８の何れか一項に記載の玩具の腕構造。
【請求項１０】
請求項１〜９の何れか一項に記載の腕構造を有する人型玩具。
【手続補正２】
【補正対象書類名】明細書
【補正対象項目名】０００９
【補正方法】変更
【補正の内容】
【０００９】
本発明の態様は、ハンド部の全長より長い装備品を持つように装着可能な前記ハンド部と、前記ハンド部を支持する支持部を有する前腕部であって、前記支持部を、第１位置と、前記装備品を前記ハンド部に装着した場合に、前記第１位置に比べて前記装備品と前記前腕部との干渉を低減することができる第２位置とに変更可能な前腕部と、を備えた玩具の腕構造である。また、本発明の態様は、玩具本体に接続可能な腕構造であって、ハンド部の全長より長い装備品を持つように装着可能な前記ハンド部と、前記ハンド部を支持する支持部と前記支持部を揺動可能に支持する枢支部とを有する前腕部と、を備え、前記支持部は、前記支持部の中心軸より前記玩具本体に近い位置で揺動可能に前記枢支部に支持されており、前記支持部を、第１位置と、前記装備品を前記ハンド部に装着した場合に、前記第１位置に比べて前記装備品と前記前腕部との干渉を低減することができる第２位置とに変更可能である玩具の腕構造である。
【手続補正書】
【提出日】令和3年3月19日(2021.3.19)
【手続補正１】
【補正対象書類名】特許請求の範囲
【補正対象項目名】全文
【補正方法】変更
【補正の内容】
【特許請求の範囲】
【請求項１】
遊技の進行を制御する進行制御手段と、
所定動作手段と、
前記進行制御手段から送信される指示情報に基づいて前記所定動作手段の動作を制御する所定動作制御手段と、
動作電力の供給が開始された場合に前記所定動作手段に初期動作を行わせる初期動作制御手段と、
を備え、
前記進行制御手段は、動作電力の供給が開始された場合に動作電力の供給開始時の処理を実行するものであって、前記動作電力の供給開始時の処理の実行内容に応じて異なる種類の開始情報を送信するものであることを特徴とする遊技機。
【手続補正２】
【補正対象書類名】明細書
【補正対象項目名】０００５
【補正方法】変更
【補正の内容】
【０００５】
ここで、上記例示等のような遊技機においては、所定動作手段が正常に動作するか否かの確認を好適に行う必要があり、この点について未だ改良の余地がある。
【手続補正３】
【補正対象書類名】明細書
【補正対象項目名】０００６
【補正方法】変更
【補正の内容】
【０００６】
本発明は、上記例示した事情等に鑑みてなされたものであり、所定動作手段が正常に動作するか否かの確認を好適に行うことが可能な遊技機を提供することを目的とするものである。
【手続補正４】
【補正対象書類名】明細書
【補正対象項目名】０００７
【補正方法】変更
【補正の内容】
【０００７】
上記課題を解決すべく請求項１記載の発明は、遊技の進行を制御する進行制御手段と、
所定動作手段と、
前記進行制御手段から送信される指示情報に基づいて前記所定動作手段の動作を制御する所定動作制御手段と、
動作電力の供給が開始された場合に前記所定動作手段に初期動作を行わせる初期動作制御手段と、
を備え、
前記進行制御手段は、動作電力の供給が開始された場合に動作電力の供給開始時の処理を実行するものであって、前記動作電力の供給開始時の処理の実行内容に応じて異なる種類の開始情報を送信するものであることを特徴とする。
【手続補正５】
【補正対象書類名】明細書
【補正対象項目名】０００８
【補正方法】変更
【補正の内容】
【０００８】
本発明によれば、所定動作手段が正常に動作するか否かの確認を好適に行うことが可能となる。
【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
遊技の進行を制御する主制御装置と、当該遊技の演出を実行する演出制御装置と、を備える遊技機において、
前記演出制御装置は、
前記主制御装置から入力されたコマンドを解析するコマンド解析部と、
前記コマンド解析部による解析結果に基づいて、前記演出を実行する各演出装置を統括的に制御する演出制御部と、
前記演出制御部からの指示に基づいて、前記演出を実行するための手順が定義されたスケジューラーデータを取得し、取得した前記スケジューラーデータに基づいて処理を実行する演出実行部と、
を備え、
前記スケジューラーデータは、前記演出装置を制御可能なファンクションを含んで構成され、
前記ファンクションには、前記演出装置を制御するための情報を前記演出制御部に送信可能なファンクションが含まれ、
前記情報は、制御対象となる前記演出装置の制御を開始するための契機となる情報であって、当該ファンクションと対を成して構成され、
さらに、表示装置に画像を表示する演出を実行する表示演出実行部と、
前記画像を表示するために必要なプログラムデータを記憶するプログラムデータ記憶部と、を備え、
前記プログラムデータには、所定の処理を実行するための演出識別情報が設定されているものが含まれており、
前記表示演出実行部は、前記プログラムデータに設定された前記演出識別情報に対応する前記所定の処理を呼び出し、当該所定の処理を実行し、
前記プログラムデータによる処理が所定の期間継続して繰り返し実行される場合には、当該プログラムデータによる処理を繰り返し実行するたびに前記演出識別情報に対応した前記所定の処理を呼び出して、当該所定の処理を継続的に実行することを可能とする
ことを特徴とする遊技機。
【手続補正２】
【補正対象書類名】明細書
【補正対象項目名】０００６
【補正方法】変更
【補正の内容】
【０００６】
上述した目的を達成するため、本発明の代表的な実施形態では、
遊技の進行を制御する主制御装置と、当該遊技の演出を実行する演出制御装置と、を備える遊技機において、
前記演出制御装置は、
前記主制御装置から入力されたコマンドを解析するコマンド解析部と、
前記コマンド解析部による解析結果に基づいて、前記演出を実行する各演出装置を統括的に制御する演出制御部と、
前記演出制御部からの指示に基づいて、前記演出を実行するための手順が定義されたスケジューラーデータを取得し、取得した前記スケジューラーデータに基づいて処理を実行する演出実行部と、
を備え、
前記スケジューラーデータは、前記演出装置を制御可能なファンクションを含んで構成され、
前記ファンクションには、前記演出装置を制御するための情報を前記演出制御部に送信可能なファンクションが含まれ、
前記情報は、制御対象となる前記演出装置の制御を開始するための契機となる情報であって、当該ファンクションと対を成して構成され、
さらに、表示装置に画像を表示する演出を実行する表示演出実行部と、
前記画像を表示するために必要なプログラムデータを記憶するプログラムデータ記憶部と、を備え、
前記プログラムデータには、所定の処理を実行するための演出識別情報が設定されているものが含まれており、
前記表示演出実行部は、前記プログラムデータに設定された前記演出識別情報に対応する前記所定の処理を呼び出し、当該所定の処理を実行し、
前記プログラムデータによる処理が所定の期間継続して繰り返し実行される場合には、当該プログラムデータによる処理を繰り返し実行するたびに前記演出識別情報に対応した前記所定の処理を呼び出して、当該所定の処理を継続的に実行することを可能とする
ことを特徴とする遊技機。
【手続補正書】
【提出日】令和3年6月15日(2021.6.15)
【手続補正１】
【補正対象書類名】特許請求の範囲
【補正対象項目名】全文
【補正方法】変更
【補正の内容】
【特許請求の範囲】
【請求項１】
扉枠と、
該扉枠の後に位置する本体枠と、
該本体枠の上方に設けられた遊技球貯留用の球タンクと、
該球タンクの遊技球を下流に導くために前記本体枠の上方に配設されたタンクレールと、を有する遊技機において、
前記本体枠と前記タンクレールとの少なくとも前後方向の対向面に、上下方向の隙間を設けてなり、
前記隙間は、前記タンクレール上方の外部空間と連通しており、
前記タンクレールは、前記球タンクを構成する後端壁部より後方へと遠ざかるように屈曲し、再び前記後端壁部に平行して下方の流下通路部の球受け入れ口へと遊技球を誘導可能に形成されており、前記隙間は、当該タンクレールの前記後端壁部に平行する箇所の対向面に設けられ、
前記隙間の前後幅は、前記遊技球の直径よりも小さい
ことを特徴とする遊技機。
【手続補正２】
【補正対象書類名】明細書
【補正対象項目名】０００７
【補正方法】変更
【補正の内容】
【０００７】
上記の目的を達成するため本発明は、請求項１に記載したように、
扉枠と、
該扉枠の後に位置する本体枠と、
該本体枠の上方に設けられた遊技球貯留用の球タンクと、
該球タンクの遊技球を下流に導くために前記本体枠の上方に配設されたタンクレールと、を有する遊技機において、
前記本体枠と前記タンクレールとの少なくとも前後方向の対向面に、上下方向の隙間を設けてなり、
前記隙間は、前記タンクレール上方の外部空間と連通しており、
前記タンクレールは、前記球タンクを構成する後端壁部より後方へと遠ざかるように屈曲し、再び前記後端壁部に平行して下方の流下通路部の球受け入れ口へと遊技球を誘導可能に形成されており、前記隙間は、当該タンクレールの前記後端壁部に平行する箇所の対向面に設けられ、
前記隙間の前後幅は、前記遊技球の直径よりも小さい
ことを特徴とする。
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に設定値に応じた確率により制御可能な遊技機であって、
設定値を設定可能な設定モードに制御可能な設定モード制御手段と、
設定値を確認可能な確認モードに制御可能な確認モード制御手段と、
特定信号を出力可能な信号出力手段と、
特定信号が出力される期間に関する値を設定する信号出力期間設定手段と、
報知手段と、を備え、
前記信号出力期間設定手段は、前記設定モードに制御される場合に所定値を設定可能であり、前記確認モードに制御される場合に前記所定値とは異なる特定値を設定可能であり、
前記設定モードの制御の開始に対応して、
前記信号出力手段は、特定信号の出力を開始し、
前記報知手段は、前記設定モードの制御に関する第１報知を実行し、
前記設定モードの制御の終了後、
前記信号出力手段は、前記所定値に対応した期間が経過するまで特定信号を出力し、
前記報知手段は、初期化に関する第２報知を実行し、
前記確認モードの制御の開始に対応して、
前記信号出力手段は、特定信号の出力を開始し、
前記報知手段は、前記確認モードの制御に関する第３報知を実行し、
前記確認モードの制御の終了後、前記信号出力手段は、前記特定値に対応した期間が経過するまで特定信号を出力し、
設定値に関する異常が発生したときに、
前記信号出力手段は、特定信号を出力し、
前記報知手段は、第４報知を実行する
ことを特徴とする遊技機。
【手続補正２】
【補正対象書類名】明細書
【補正対象項目名】０００７
【補正方法】変更
【補正の内容】
【０００７】
特許文献２に記載された構成を特許文献１に記載されたパチンコ遊技機に適用することが考えられる。しかしながら、設定値の変更等の際に、設定に関連する制御状態を外部装置側で把握することが必要となる場合があるが、従来の遊技機の信号出力技術を適用しても、外部装置側でこれを把握することが困難であるという課題がある。
【手続補正３】
【補正対象書類名】明細書
【補正対象項目名】０００８
【補正方法】変更
【補正の内容】
【０００８】
そこで、本発明は、上記の実状に鑑みてなされたものであり、設定に関連する制御状態を遊技機外部に適切に通知可能な遊技機を提供することを目的とする。
【手続補正４】
【補正対象書類名】明細書
【補正対象項目名】０００９
【補正方法】変更
【補正の内容】
【０００９】
（１）上記目的を達成するため、本願発明に係る遊技機は、遊技者にとって有利な有利状態に設定値に応じた確率により制御可能な遊技機であって、設定値を設定可能な設定モードに制御可能な設定モード制御手段と、設定値を確認可能な確認モードに制御可能な確認モード制御手段と、特定信号を出力可能な信号出力手段と、特定信号が出力される期間に関する値を設定する信号出力期間設定手段と、報知手段と、を備え、信号出力期間設定手段は、設定モードに制御される場合に所定値を設定可能であり、確認モードに制御される場合に所定値とは異なる特定値を設定可能であり、設定モードの制御の開始に対応して、信号出力手段は、特定信号の出力を開始し、報知手段は、設定モードの制御に関する第１報知を実行し、設定モードの制御の終了後、信号出力手段は、所定値に対応した期間が経過するまで特定信号を出力し、報知手段は、初期化に関する第２報知を実行し、確認モードの制御の開始に対応して、信号出力手段は、特定信号の出力を開始し、報知手段は、確認モードの制御に関する第３報知を実行し、確認モードの制御の終了後、信号出力手段は、特定値に対応した期間が経過するまで特定信号を出力し、設定値に関する異常が発生したときに、信号出力手段は、特定信号を出力し、報知手段は、第４報知を実行する。
また、上記目的を達成するため、他の遊技機は、駆動源により可動体（例えば、可動体３２）を動作させる遊技機であって、第１制御手段（例えば、遊技制御用マイクロコンピュータ１００）と、第１制御手段により動作制御されて基準値（例えば、基準磁界設定部１３６ＩＷ２０４において設定される不正磁場を判定するための基準値）を検出するとともに、該基準値からの磁界の変化が基準範囲外となると第１制御手段に通知を行う磁石センサ（例えば、第１磁気検出器１３６ＩＷ１００や第２磁気検出器１３６ＩＷ１０１）と、第１制御手段から出力される情報にもとづいて駆動源の動作制御を行い可動体を動作させる第２制御手段（例えば、演出制御用ＣＰＵ１２０）とを備え、第２制御手段は、第１制御手段から出力される電源が投入されたことを特定可能な特定情報（例えば、設定確認処理終了コマンドや設定変更処理終了コマンド、電断からの復旧を指示するコマンド、初期化を指示するコマンド等の電源投入コマンド）にもとづいて可動体の初期動作を行い（例えば、演出制御用ＣＰＵ１２０がステップ７２ＡＫＳ０１４、７２ＡＫＳ０２３を実行する部分。図９−１１参照）、第１制御手段は、電源が投入された後に第２制御手段に特定情報を出力し、少なくとも第２制御手段による可動体の初期動作が終了するまで磁石センサに基準値を検出させない（例えば、ＣＰＵ１０３がステップ１３６ＩＷＳ０２１、１３６ＩＷＳ０２３、１３６ＩＷＳ０３２、および１３６ＩＷＳ０３３のいずれかと、ステップ１３６ＩＷＳ０３４ａ〜１３６ＩＷＳ０３４ｂの処理を実行する部分。図９−１２、図９−１３参照）ことを特徴とする。
そのような構成によれば、誤検出のおそれを低減することができる。
【手続補正書】
【提出日】令和3年6月25日(2021.6.25)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打込まれる遊技領域と、
該遊技領域内に突出しており左右に延びていると共に左右のうちの一方が低くなるように上面が傾斜している領域形成部材と、
該領域形成部材が設けられた前記遊技領域の下方において、遊技者から常時開口していることが視認可能とされ遊技媒体の受入れによって特典を付与する受入口と、
を備え、
前記遊技領域内に設けられた検出部に基づく抽選遊技の結果に応じて常時開口していることが視認可能な前記受入口への遊技媒体の受入可否が変化されるように構成されてなり、
前記受入口への遊技媒体の受入可否は、受入不能位置と受入可能位置との間で遊技釘が植設される盤面よりも前方位置へ可動する案内部材により変化され、
前記検出部に基づく抽選遊技の結果が遊技球を前記受入口に受け入れる結果である場合は、前記案内部材の上面を複数の遊技媒体が転動可能となるように前記案内部材を前記遊技領域内に突出させ、前記案内部材の上面を転動する遊技媒体を前記受入口まで案内可能な受入可能位置に位置させるとともに、前記検出部に基づく抽選遊技の結果が遊技球を前記受入口に受け入れない結果である場合は、前記案内部材に遊技媒体が当接されないように前記遊技領域内に突出しない前記受入不能位置に位置させ、
常時開口していることが視認可能な前記受入口の前方に誘導片を位置させ、前記受入口に転動してきた遊技球の転動方向を変化可能にしており、
常時開口していることが視認可能な前記受入口の開口径は遊技媒体が同時に２つ以上受け入れられない大きさとされている
ことを特徴とする遊技機。
【手続補正２】
【補正対象書類名】明細書
【補正対象項目名】０００５
【補正方法】変更
【補正の内容】
【０００５】
しかしながら、特許文献１のような遊技機では、本来であれば受入れる必要のない遊技媒体を受入れてしまうことで、必要のない特典（遊技媒体の払出し、有利遊技状態の発生、等）を付与しなければならず、遊技機を設置している遊技ホール側の負担が増加する問題があった。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
この発明は、こうした実情に鑑みてなされたものであり、余分に遊技球が受入れられるのを低減させ、遊技ホール側の負担が増加するのを抑制されうる遊技機を提供することを目的とする。
【手続補正５】
【補正対象書類名】明細書
【補正対象項目名】０００８
【補正方法】変更
【補正の内容】
【０００８】
手段１：遊技者の操作によって遊技媒体が打込まれる遊技領域と、
該遊技領域内に突出しており左右に延びていると共に左右のうちの一方が低くなるように上面が傾斜している領域形成部材と、
該領域形成部材が設けられた前記遊技領域の下方において、遊技者から常時開口していることが視認可能とされ遊技媒体の受入れによって特典を付与する受入口と、
を備え、
前記遊技領域内に設けられた検出部に基づく抽選遊技の結果に応じて常時開口していることが視認可能な前記受入口への遊技媒体の受入可否が変化されるように構成されてなり、
前記受入口への遊技媒体の受入可否は、受入不能位置と受入可能位置との間で遊技釘が植設される盤面よりも前方位置へ可動する案内部材により変化され、
前記検出部に基づく抽選遊技の結果が遊技球を前記受入口に受け入れる結果である場合は、前記案内部材の上面を複数の遊技媒体が転動可能となるように前記案内部材を前記遊技領域内に突出させ、前記案内部材の上面を転動する遊技媒体を前記受入口まで案内可能な受入可能位置に位置させるとともに、前記検出部に基づく抽選遊技の結果が遊技球を前記受入口に受け入れない結果である場合は、前記案内部材に遊技媒体が当接されないように前記遊技領域内に突出しない前記受入不能位置に位置させ、
常時開口していることが視認可能な前記受入口の前方に誘導片を位置させ、前記受入口に転動してきた遊技球の転動方向を変化可能にしており、
常時開口していることが視認可能な前記受入口の開口径は遊技媒体が同時に２つ以上受け入れられない大きさとされていることを特徴とする遊技機。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
この発明によれば、余分に遊技球が受入れられるのを低減させ、遊技ホール側の負担が増加するのを抑制させることが可能な遊技機を提供することができる。
【手続補正書】
【提出日】令和3年6月1日(2021.6.1)
【手続補正１】
【補正対象書類名】特許請求の範囲
【補正対象項目名】全文
【補正方法】変更
【補正の内容】
【特許請求の範囲】
【請求項１】
遊技媒体を貯留する貯留領域を有する上皿と、操作ユニットを備えた遊技機であって、
前記操作ユニットは、所定の軸線まわりに回転操作可能で前記所定の軸線方向への押圧移動操作はされない円環形状部を有する回転操作部と、前記所定の軸線を含む位置に設けられて回転操作不能な非回転部を含み、
前記回転操作部を前記所定の軸線方向から見たときの前記回転操作部の外周縁の最大幅は、前記貯留領域の前後方向の最大寸法よりも大きいとされており、
前記回転操作部の操作を要求する要求演出を実行可能であり、
前記回転操作部を所定の方向へ回転させたとき、当該所定の方向とは反対の回転方向への力の付与が可能であり、
前記所定の方向とは反対の回転方向への力の付与とは別に、振動を発生させることが可能であり、
前記所定の方向とは反対の回転方向への力の付与と前記振動の発生は異なる手段で行われ、
前記回転操作部を前記所定の軸線方向から見たときの前記回転操作部の面に、途切れることなく同一態様の装飾だけが施されており、前記回転操作部は、前記外周縁に連続してその裏側に遊技者の手が届く空間が形成されているところに外周裏側部が位置し、
前記回転操作部の前記外周縁と隣接した位置であって前記遊技機を正面視して該回転操作部の奥側の所定位置に前記回転操作部とは別パーツの特定部材が配置されていることにより、該外周裏側部のうち該回転操作部と該特定部材とが隣接する部分は該回転操作部と該特定部材とが隣接していない部分よりも遊技者の手が触れにくくなっており、
遊技者が前記非回転部に触れているか否かにかかわらず前記外周裏側部および前記非回転部に前記振動が伝わるものであり、
前記所定の方向とは反対の回転方向への力の付与が行われているか否かにかかわらず前記外周裏側部および前記非回転部に前記振動が伝わるものであり、
前記非回転部は、前記回転操作部を前記所定の軸線方向からみたときに、前記回転操作部よりも手前側にある手前側非回転部と前記回転操作部よりも奥側にある奥側非回転部とがあり、前記所定の軸線方向において前記奥側非回転部の長さが前記手前側非回転部の長さよりも長い
ことを特徴とする遊技機。
【手続補正２】
【補正対象書類名】明細書
【補正対象項目名】０００２
【補正方法】変更
【補正の内容】
【０００２】
従来より、遊技者の操作によって遊技媒体が打ち込まれることにより遊技が行われる遊技領域に設けられる可動装飾体を動作させるようにした遊技機が提案されている（例えば、特許文献１）。この特許文献１の技術によれば、可動装飾体の動きによって遊技者を楽しませることができる。
【手続補正３】
【補正対象書類名】明細書
【補正対象項目名】０００３
【補正方法】変更
【補正の内容】
【０００３】
【特許文献１】特開２０１３−６３２１２号公報
【手続補正４】
【補正対象書類名】明細書
【補正対象項目名】０００４
【補正方法】変更
【補正の内容】
【０００４】
しかしながら、これらの可動装飾体等による演出には未だに改善の余地がある。
【手続補正５】
【補正対象書類名】明細書
【補正対象項目名】０００５
【補正方法】変更
【補正の内容】
【０００５】
本発明は、このような実情に鑑みてなされたものであり、その目的とするところは、多彩な演出により遊技者を楽しませて遊技興趣の低下を抑制可能な遊技機を提供することにある。
【手続補正６】
【補正対象書類名】明細書
【補正対象項目名】０００７
【補正方法】変更
【補正の内容】
【０００７】
（解決手段１）
遊技媒体を貯留する貯留領域を有する上皿と、操作ユニットを備えた遊技機であって、前記操作ユニットは、所定の軸線まわりに回転操作可能で前記所定の軸線方向への押圧移動操作はされない円環形状部を有する回転操作部と、前記所定の軸線を含む位置に設けられて回転操作不能な非回転部を含み、前記回転操作部を前記所定の軸線方向から見たときの前記回転操作部の外周縁の最大幅は、前記貯留領域の前後方向の最大寸法よりも大きいとされており、前記回転操作部の操作を要求する要求演出を実行可能であり、前記回転操作部を所定の方向へ回転させたとき、当該所定の方向とは反対の回転方向への力の付与が可能であり、前記所定の方向とは反対の回転方向への力の付与とは別に、振動を発生させることが可能であり、前記所定の方向とは反対の回転方向への力の付与と前記振動の発生は異なる手段で行われ、前記回転操作部を前記所定の軸線方向から見たときの前記回転操作部の面に、途切れることなく同一態様の装飾だけが施されており、前記回転操作部は、前記外周縁に連続してその裏側に遊技者の手が届く空間が形成されているところに外周裏側部が位置し、前記回転操作部の前記外周縁と隣接した位置であって前記遊技機を正面視して該回転操作部の奥側の所定位置に前記回転操作部とは別パーツの特定部材が配置されていることにより、該外周裏側部のうち該回転操作部と該特定部材とが隣接する部分は該回転操作部と該特定部材とが隣接していない部分よりも遊技者の手が触れにくくなっており、遊技者が前記非回転部に触れているか否かにかかわらず前記外周裏側部および前記非回転部に前記振動が伝わるものであり、前記所定の方向とは反対の回転方向への力の付与が行われているか否かにかかわらず前記外周裏側部および前記非回転部に前記振動が伝わるものであり、前記非回転部は、前記回転操作部を前記所定の軸線方向からみたときに、前記回転操作部よりも手前側にある手前側非回転部と前記回転操作部よりも奥側にある奥側非回転部とがあり、前記所定の軸線方向において前記奥側非回転部の長さが前記手前側非回転部の長さよりも長いことを特徴とした遊技機。
【手続補正７】
【補正対象書類名】明細書
【補正対象項目名】００１７
【補正方法】変更
【補正の内容】
【００１７】
本発明の遊技機においては、多彩な演出により遊技者を楽しませて遊技興趣の低下を抑制することができる。